(57)【特許請求の範囲】
【請求項１】
二重偏波位相偏移変調（ＤＰ−ＰＳＫ）信号に含まれるＸ偏波およびＹ偏波をそれぞれｘ成分およびｙ成分として規定される偏波に関する複数のストークスパラメータを取得する工程と、
ポアンカレ球座標系において、前記各ストークスパラメータが規定する座標を、座標（０，１，０）、（０，０，１）、（０，−１，０）および（０，０，−１）を含む平面に正射影することで２次元コンステレーションダイアグラムを取得する工程と、
を含む信号処理方法。
【請求項２】
請求項１に記載の信号処理方法であって、
前記ＤＰ−ＰＳＫ信号は、二重偏波四位相偏移変調（ＤＰ−ＱＰＳＫ）信号である信号処理方法。
【請求項３】
請求項１に記載の信号処理方法であって、
前記ＤＰ−ＰＳＫ信号は、二重偏波二位相偏移変調（ＤＰ−ＢＰＳＫ）信号である信号処理方法。
【請求項４】
請求項１に記載の信号処理方法であって、
前記ＤＰ−ＰＳＫ信号は、二重偏波八位相偏移変調（ＤＰ−８ＰＳＫ）信号である信号処理方法。
【請求項５】
請求項２に記載の信号処理方法であって、
前記ＤＰ−ＱＰＳＫ信号は、１００Ｇｂｉｔ／ｓｅｃ以上の伝送レートを有する信号処理方法。
【請求項６】
請求項１から５までのいずれか一項に記載の信号処理方法により取得された前記２次元コンステレーションダイアグラムのＱ値（ただし、Ｑ＝ｓ／２σである。ｓは、前記２次元コンステレーションダイアグラムにおいて隣接するコンステレーションポイント間の距離である。σは、前記２次元コンステレーションダイアグラムのコンステレーションポイントにおける信号強度のガウス分布の標準偏差である。）を取得する検波方法。
【請求項７】
ＤＰ−ＰＳＫ信号に含まれるＸ偏波およびＹ偏波をそれぞれｘ成分およびｙ成分として規定される偏波に関する複数のストークスパラメータを取得するストークスパラメータ取得部と、
ポアンカレ球座標系において、前記各ストークスパラメータが規定する座標を、座標（０，１，０）、（０，０，１）、（０，−１，０）および（０，０，−１）を含む平面に正射影することで２次元コンステレーションダイアグラムを取得するコンステレーションダイアグラム取得部と、
を備える検波装置。
【請求項８】
請求項７に記載の検波装置であって、
前記ストークスパラメータ取得部は、
前記ＤＰ−ＰＳＫ信号に含まれる前記Ｘ偏波および前記Ｙ偏波を分離して、前記Ｘ偏波および前記Ｙ偏波に対応する電気信号を出力するコヒーレント受信器と、
前記コヒーレント受信器が出力した前記電気信号をアナログ−デジタル変換して出力するアナログデジタルコンバータと、
前記アナログデジタルコンバータが出力した前記電気信号から前記ストークスパラメータを算出するデジタルシグナルプロセッサと、
を含む検波装置。
【請求項９】
請求項７または８に記載の検波装置であって、
前記ＤＰ−ＰＳＫ信号は、ＤＰ−ＱＰＳＫ信号である検波装置。
【請求項１０】
請求項７または８に記載の検波装置であって、
前記ＤＰ−ＰＳＫ信号は、ＤＰ−ＢＰＳＫ信号である検波装置。
【請求項１１】
請求項７または８に記載の検波装置であって、
前記ＤＰ−ＰＳＫ信号は、ＤＰ−８ＰＳＫ信号である検波装置。
【請求項１２】
請求項９に記載の検波装置であって、
前記ＤＰ−ＱＰＳＫ信号は、１００Ｇｂｉｔ／ｓｅｃ以上の伝送レートを有する検波装置。
【請求項１３】
請求項７から１２までのいずれか一項に記載の検波装置であって、
コンステレーションダイアグラム取得部が取得した前記２次元コンステレーションダイアグラムのＱ値（ただし、Ｑ＝ｓ／２σである。ｓは、前記２次元コンステレーションダイアグラムにおいて隣接するコンステレーションポイント間の距離である。σは、前記２次元コンステレーションダイアグラムのコンステレーションポイントにおける信号強度のガウス分布の標準偏差である。）を取得する信号品質演算部をさらに有する検波装置。
【発明の詳細な説明】
【技術分野】
【０００１】
本発明は、信号処理方法、検波方法および検波装置に関する。
【背景技術】
【０００２】
現在、種々の光サンプリングシステムが提案されている。非特許文献１では、光サンプリングシステムとして線形サンプリングシステムが提案されている。非特許文献１では、サンプリングパルスとの干渉を用いてコンステレーションダイアグラムが生成されることが記載されている。非特許文献２には、デュアルチャネル線形光サンプリングについて記載されている。非特許文献２では、１シンボル遅れたデュアルチャネル線形光サンプリングが用いられている。非特許文献２では、このシステムにより、差動位相偏移変調（ＤＰＳＫ：Ｄｉｆｆｅｒｅｎｔｉａｌ  Ｐｈａｓｅ  Ｓｈｉｆｔ  Ｋｅｙｉｎｇ）が観測される。【０００３】
その他の例として、特許文献１には、デジタルコヒーレント受信装置が記載されている。特許文献１では、偏波多重光信号の偏波状態が最適化されている。特許文献１には、この最適化により、デジタルシグナルプロセッサによるデジタル信号処理の負荷の低減および安定性を向上させることができると記載されている。
【先行技術文献】
【特許文献】
【０００４】
【特許文献１】特開２０１２−２３８９４１号公報
【非特許文献】
【０００５】
【非特許文献１】C. Dorrer, C.R. Doerr, and I. Kang, "Measurement of eye diagram and constellation diagrams of optical sources using linear optics and waveguide technology," J. Lightwave Technol., vol.23, pp.178-186, Jan. 2005.
【非特許文献２】K. Okamoto and F. Ito, "Ultrafast measurement of optical DPSK signals using 1-symbol delayed dual-channel linear optical sampling," IEEE Photon. Technol. Lett., vol.20, pp.948-950, 2008.
【発明の概要】
【発明が解決しようとする課題】
【０００６】
二重偏波位相偏移変調（ＤＰ−ＰＳＫ：Ｄｕａｌ−Ｐｏｌａｒｉａｔｉｏｎ  Ｐｈａｓｅ−Ｓｈｉｆｔ  Ｋｅｙｉｎｇ）信号の測定には、コンステレーションダイアグラム（Ｃｏｎｓｔｅｌｌａｔｉｏｎ  ｄｉａｇｒａｍ）が用いられることがある。そしてＤＰ−ＰＳＫ信号のコンステレーションダイアグラムの取得には、低い速度で動作する受信器であっても、ＤＰ−ＰＳＫ信号の受信を可能にすることが求められることがある。本発明者らは、低い速度で動作する受信器であっても、ＤＰ−ＰＳＫ信号のコンステレーションダイアグラムを取得することを検討した。
【課題を解決するための手段】
【０００７】
本発明によれば、
二重偏波位相偏移変調（ＤＰ−ＰＳＫ）信号に含まれるＸ偏波およびＹ偏波をそれぞれｘ成分およびｙ成分として規定される偏波に関する複数のストークスパラメータを取得する工程と、
ポアンカレ球座標系において、前記各ストークスパラメータが規定する座標を、座標（０，１，０）、（０，０，１）、（０，−１，０）および（０，０，−１）を含む平面に正射影することで２次元コンステレーションダイアグラムを取得する工程と、
を含む信号処理方法が提供される。【０００８】
本発明によれば、
ＤＰ−ＰＳＫ信号に含まれるＸ偏波およびＹ偏波をそれぞれｘ成分およびｙ成分として規定される偏波に関する複数のストークスパラメータを取得するストークスパラメータ取得部と、
ポアンカレ球座標系において、前記各ストークスパラメータが規定する座標を、座標（０，１，０）、（０，０，１）、（０，−１，０）および（０，０，−１）を含む平面に正射影することで２次元コンステレーションダイアグラムを取得するコンステレーションダイアグラム取得部と、
を備える検波装置が提供される。
【発明の効果】
【０００９】
本発明によれば、低い速度で動作する受信器が用いられても、ＤＰ−ＰＳＫ信号のコンステレーションダイアグラムを取得することができる。
【図面の簡単な説明】
【００１０】
上述した目的、およびその他の目的、特徴および利点は、以下に述べる好適な実施の形態、およびそれに付随する以下の図面によってさらに明らかになる。【００１１】
【図１】実施の形態における検波装置の概要図である。
【図２】ＤＰ−ＰＳＫにおけるポアンカレ球座標系に表示される位相状態を説明するための図である。
【図３】ＤＰ−ＰＳＫにおけるポアンカレ球座標系に表示される位相状態を説明するための図である。
【図４】コンステレーションダイアグラムのシミュレーション結果を示す図である。
【図５】コンステレーションダイアグラムの実験結果を示す図である。
【発明を実施するための形態】
【００１２】
以下、本発明の実施形態を図面に基づいて説明する。なお、すべて図面において、同様な構成要素には同様の符号を付し、適宜説明を省略する。
【００１３】
図１は、実施の形態における検波装置１００の概要図である。図１は検波装置１００を示す概要図であり、検波装置１００の構成は図１に示されるものに限られない。検波装置１００は、図１に示されるように、ストークスパラメータ取得部１０４と、コンステレーションダイアグラム取得部１１６と、を備えている。ストークスパラメータ取得部１０４は、偏波に関する複数のストークスパラメータを取得するものである。本実施形態における当該偏波は、二重偏波位相偏移変調（ＤＰ−ＰＳＫ）信号に含まれるＸ偏波およびＹ偏波をそれぞれｘ成分およびｙ成分として規定されている。コンステレーションダイアグラム取得部１１６は、２次元コンステレーションダイアグラム（Ｃｏｎｓｔｅｌｌａｔｉｏｎ  ｄｉａｇｒａｍ）を取得するものである。本実施形態における当該コンステレーションダイアグラムは、ポアンカレ球座標系において、上記各ストークスパラメータが規定する座標を、座標（０，１，０）、（０，０，１）、（０，−１，０）および（０，０，−１）を含む平面に正射影することで取得される。
【００１４】
本実施形態における検波装置１００の詳細について説明する。検波装置１００は、図１に示されるように、ストークスパラメータ取得部１０４と、コンステレーションダイアグラム取得部１１６と、を備えている。ストークスパラメータ取得部１０４は、コヒーレント受信器１０６と、サンプリングパルス発生器１０８と、アナログデジタルコンバータ（ＡＤＣ）１１０と、ストークスベクトル変換部１１４と、を含んでいる。ストークスベクトル変換部１１４およびコンステレーションダイアグラム取得部１１６は、デジタルシグナルプロセッサ（ＤＳＰ）１１２に含まれている。検波装置１００は、図１に示されるように、光フィルタ１０２をさらに備えている。
【００１５】
検波装置１００の動作について説明する。検波装置１００では、二重偏波位相偏移変調（ＤＰ−ＰＳＫ：Ｄｕａｌ−Ｐｏｌａｒｉａｔｉｏｎ  Ｐｈａｓｅ−Ｓｈｉｆｔ  Ｋｅｙｉｎｇ）信号が光フィルタ１０２を介してコヒーレント受信器１０６およびサンプリングパルス発生器１０８に入力される。ＤＰ−ＰＳＫ信号は、Ｘ偏波およびＹ偏波を含んでいる。そしてこれらＸ偏波およびＹ偏波は、互いに直行している。ＤＰ−ＰＳＫ信号では、Ｘ偏波およびＹ偏波それぞれにおいて、位相が変調されている。この場合において位相の変調は、Ｘ偏波およびＹ偏波において独立になされている。本実施形態において、ＤＰ−ＰＳＫ信号のＸ偏波およびＹ偏波は、互いに等しい強度を有している。ＤＰ−ＰＳＫ信号のＸ偏波およびＹ偏波は同一の光源（例えば、レーザ光源）から出射される。本実施形態において、ＤＰ−ＰＳＫ信号のＸ偏波およびＹ偏波における位相は、２Ｎ位相（Ｎ≧１）に適用させることができる。Ｘ偏波およびＹ偏波における位相が２Ｎ位相となる場合、ＤＰ−ＰＳＫ信号のＸ偏波およびＹ偏波のそれぞれにバイナリデータを乗せることができる。
【００１６】
ＤＰ−ＰＳＫ信号の具体例には、二重偏波四位相偏移変調（ＤＰ−ＱＰＳＫ：Ｄｕａｌ−Ｐｏｌａｒｉａｔｉｏｎ  Ｑｕａｄｒａｔｕｒｅ  Ｐｈａｓｅ−Ｓｈｉｆｔ  Ｋｅｙｉｎｇ）信号、二重偏波二位相偏移変調（ＤＰ−ＢＰＳＫ：Ｄｕａｌ−Ｐｏｌａｒｉａｔｉｏｎ  Ｂｉｎａｒｙ  Ｐｈａｓｅ−Ｓｈｉｆｔ  Ｋｅｙｉｎｇ）信号または二重偏波八位相偏移変調（ＤＰ−８ＰＳＫ：Ｄｕａｌ−Ｐｏｌａｒｉａｔｉｏｎ  ８  Ｐｈａｓｅ−Ｓｈｉｆｔ  Ｋｅｙｉｎｇ）信号が含まれる。本実施形態において、ＤＰ−ＱＰＳＫ信号は、１００Ｇｂｉｔ／ｓｅｃ以上の伝送レートを有していてもよい。ＤＰ−ＢＰＳＫ信号においては、Ｘ偏波における位相は、ＩＱ平面においてバイナリ（ｂｉｎａｒｙ）で「０」および「１」の２つの状態をとるように変調されているとともに、Ｙ偏波における位相も、ＩＱ平面においてバイナリで「０」および「１」の２つの状態をとるように変調されている。ＤＰ−ＱＰＳＫ信号においては、Ｘ偏波における位相は、ＩＱ平面においてバイナリで「００」、「０１」、「１０」および「１１」の４つの状態をとるように変調されているとともに、Ｙ偏波における位相も、ＩＱ平面においてバイナリで「００」、「０１」、「１０」および「１１」の４つの状態をとるように変調されている。ＤＰ−８ＰＳＫ信号においては、Ｘ偏波における位相は、ＩＱ平面においてバイナリで「０００」、「００１」、「０１０」、「０１１」、「１００」、「１０１」、「１１０」および「１１１」の８つの状態をとるように変調されているとともに、Ｙ偏波における位相も、ＩＱ平面においてバイナリで「０００」、「００１」、「０１０」、「０１１」、「１００」、「１０１」、「１１０」および「１１１」の８つの状態をとるように変調されている。
【００１７】
検波装置１００において、ＤＰ−ＰＳＫ信号は、上述したように、光フィルタ１０２を通過する。光フィルタ１０２は、ＤＰ−ＰＳＫ信号の雑音を除去するフィルタとして機能する。これにより、ＤＰ−ＰＳＫ信号のＣＮＲ（Ｃａｒｒｉｅｒ−ｔｏ−ｎｏｉｓｅ  ｒａｔｉｏ）が改善されることになる。
【００１８】
検波装置１００では、ストークスパラメータ取得部１０４が、入力されたＤＰ−ＰＳＫ信号に関するストークスパラメータを取得する。検波装置１００では、線形サンプリングにより、ＤＰ−ＰＳＫ信号からストークスパラメータが得られる。
【００１９】
線形サンプリングの詳細は、以下のとおりである。まず、光フィルタ１０２を通過したＤＰ−ＰＳＫ信号の一部が、サンプリングパルス発生器１０８に入力される。サンプリングパルス発生器１０８は、ＤＰ−ＰＳＫ信号のシンボルレートＴを抽出する。そしてサンプリングパルス発生器１０８は、シンボルレートＴをｎ（ただし、ｎは十分に大きい正の整数である。）で分周し、サンプリング周波数１／（ｎＴ）のサンプリング光パルスを発生させる。発生したサンプリング光パルスは、コヒーレント受信器１０６に出力される。
【００２０】
光フィルタ１０２を通過したＤＰ−ＰＳＫ信号の残りの一部は、コヒーレント受信器１０６に入力される。コヒーレント受信器１０６は、偏波ビームスプリッタ（ＰＢＳ：Ｐｏｌａｒｉｚａｔｉｏｎ  Ｂｅａｍ  Ｓｐｌｉｔｔｅｒ）を内蔵している。コヒーレント受信器１０６は、ＰＢＳを用いて、ＤＰ−ＰＳＫ信号のＸ偏波およびＹ偏波を分離する。そしてコヒーレント受信器１０６は、サンプリング光パルス発生器１０８からのサンプリング光パルスを局部発振（ＬＯ：Ｌｏｃａｌ  Ｏｓｃｉｌｌａｔｏｒ）として用いて、ＤＰ−ＰＳＫ信号のＸ偏波およびＹ偏波のそれぞれを線形に検波する。その後コヒーレント受信器１０６は、Ｘ偏波のＩチャネルおよびＹチャネルに関する電気信号ＩｘおよびＱｘと、Ｙ偏波のＩチャネルおよびＹチャネルに関する電気信号ＩｙおよびＱｙと、を出力する。
【００２１】
コヒーレント受信器１０６から出力された電気信号Ｉｘ、Ｑｘ、ＩｙおよびＱｙはＡＤＣ１１０に入力される。ＡＤＣ１１０は、電気信号Ｉｘ、Ｑｘ、ＩｙおよびＱｙをアナログ−デジタル変換する。ＡＤＣ１１０においてアナログ−デジタル変換された信号は、ＤＳＰ１１２に出力される。
【００２２】
ＤＳＰ１１２では、ストークスベクトル変換部１１４が、ＡＤＣ１１０においてアナログ−デジタル変換された電気信号Ｉｘ、Ｑｘ、ＩｙおよびＱｙからＤＰ−ＰＳＫ信号におけるＸ偏波の成分Ｅｘ（ｋ）およびＹ偏波の成分Ｅｙ（ｋ）を得る（ただし、ｋはサンプルの数を示す。）。そしてストークスベクトル変換部１１４は、以下の式（１）から（３）を用いて、Ｅｘ（ｋ）およびＥｙ（ｋ）から、ストークスパラメータＳ１、Ｓ２およびＳ３を算出する。
【００２３】
【数１】
0005834163.tif 000002
【００２４】
ただし、θ（ｋ）＝ａｒｇ（Ｅｘ（ｋ）／Ｅｙ（ｋ））である。
【００２５】
ストークスパラメータＳ１、Ｓ２およびＳ３は、検波装置１００に入力されたＤＰ−ＰＳＫ信号の偏波状態（ＳＯＰ：Ｓｔａｔｅ  ｏｆ  Ｐｏｌａｒｉｚａｔｉｏｎ）を示している。ストークスパラメータＳ１、Ｓ２およびＳ３によって示されるＳＯＰは、ポアンカレ球座標系に表示される。ポアンカレ球座標系に表示されるＳＯＰについて、図２を用いて説明する。
【００２６】
図２（ａ）は、ＤＰ−ＢＰＳＫにおけるポアンカレ球座標系に表示されるＳＯＰを説明するための図である。ポアンカレ球座標系において、軸Ｓ１、Ｓ２およびＳ３は、互いに直行している。図２（ａ）では、ポアンカレ球ＰＳが破線で模式的に示されている。また図２（ａ）においてハッチで表示されている平面Ｓは、座標（０，１，０）、（０，０，１）、（０，−１，０）および（０，０，−１）を含む平面である。ＤＰ−ＢＰＳＫにおけるＸ偏波およびＹ偏波がとり得る位相差は、０およびπとなる。位相差０では、ポアンカレ球ＰＳにおいて、図２（ａ）に示されるようにセンターａがとられる。センターａにおけるＳＯＰは、＋４５°の直線偏光となる。一方位相差πでは、ポアンカレ球ＰＳにおいて、図２（ａ）に示されるようにセンターｂがとられる。センターｂにおけるＳＯＰは、−４５°の直線偏光となる。
【００２７】
図２（ｂ）は、ＤＰ−ＱＰＳＫにおけるポアンカレ球座標系に表示されるＳＯＰを説明するための図である。ポアンカレ球座標系において、軸Ｓ１、Ｓ２およびＳ３は、互いに直行している。図２（ｂ）では、ポアンカレ球ＰＳが破線で模式的に示されている。また図２（ｂ）においてハッチで表示されている平面Ｓは、座標（０，１，０）、（０，０，１）、（０，−１，０）および（０，０，−１）を含む平面である。ＤＰ−ＱＰＳＫにおけるＸ偏波およびＹ偏波がとり得る位相差は、０、π／２、πおよび３π／２となる。位相差０では、ポアンカレ球ＰＳにおいて、図２（ｂ）に示されるようにセンターａがとられる。センターａにおけるＳＯＰは、＋４５°の直線偏光となる。位相差π／２では、ポアンカレ球ＰＳにおいて、図２（ｂ）に示されるようにセンターｂがとられる。センターｂにおけるＳＯＰは、右回り円偏光となる。位相差πでは、ポアンカレ球ＰＳにおいて、図２（ｂ）に示されるようにセンターｃがとられる。センターｃにおけるＳＯＰは、−４５°の直線偏光となる。最後に位相差３π／２では、ポアンカレ球ＰＳにおいて、図２（ｂ）に示されるようにセンターｄがとられる。センターｄにおけるＳＯＰは、左回り円偏光となる。
【００２８】
図３は、ＤＰ−８ＰＳＫにおけるポアンカレ球座標系に表示されるＳＯＰを説明するための図である。ポアンカレ球座標系において、軸Ｓ１、Ｓ２およびＳ３は、互いに直行している。図３では、ポアンカレ球ＰＳが破線で模式的に示されている。また図３においてハッチで表示されている平面Ｓは、座標（０，１，０）、（０，０，１）、（０，−１，０）および（０，０，−１）を含む平面である。ＤＰ−８ＰＳＫにおけるＸ偏波およびＹ偏波がとり得る位相差は、０、π／４、π／２、３π／４、π、５π／４、３π／２、および７π／４となる。位相差０では、ポアンカレ球ＰＳにおいて、図３に示されるようにセンターａがとられる。センターａにおけるＳＯＰは、＋４５°の直線偏光となる。位相差π／４では、ポアンカレ球ＰＳにおいて、図３に示されるようにセンターｂがとられる。センターｂにおけるＳＯＰは、楕円偏光となる。位相差π／２では、ポアンカレ球ＰＳにおいて、図３に示されるようにセンターｃがとられる。センターｃにおけるＳＯＰは、右回り円偏光となる。位相差３π／４では、ポアンカレ球ＰＳにおいて、図３に示されるようにセンターｄがとられる。センターｄにおけるＳＯＰは、楕円偏光となる。位相差πでは、ポアンカレ球ＰＳにおいて、図３に示されるようにセンターｅがとられる。センターｅにおけるＳＯＰは、−４５°の直線偏光となる。位相差５π／４では、ポアンカレ球ＰＳにおいて、図３に示されるようにセンターｆがとられる。センターｆにおけるＳＯＰは、楕円偏光となる。位相差３π／２では、ポアンカレ球ＰＳにおいて、図３に示されるようにセンターｇがとられる。センターｇにおけるＳＯＰは、左回り円偏光となる。最後に位相差７π／４では、ポアンカレ球ＰＳにおいて、図３に示されるようにセンターｈがとられる。センターｈにおけるＳＯＰは、楕円偏光となる。
【００２９】
本実施形態では、ＤＰ−ＰＳＫ信号に関するＳＯＰが式（１）から（３）により算出され、ポアンカレ球座標系において座標として表示される。そしてコンステレーションダイアグラム取得部１１６は、当該座標を平面Ｓに正射影する。これにより、ＤＰ−ＰＳＫ信号に関して２次元に表示されたコンステレーションダイアグラムが得られる。
【００３０】
本実施形態において、検波装置１００は、図１に示されるように、信号品質演算部１１８と、表示部１２０と、をさらに含んでいてもよい。信号品質演算部１１８は、コンステレーションダイアグラム取得部１１６が取得した２次元コンステレーションダイアグラムのＱ値を取得する。具体的には、コンステレーションダイアグラム取得部１１６は、２次元コンステレーションダイアグラムの情報を含む信号を信号品質演算部１１８に出力する。信号品質演算部１１８は、コンステレーションダイアグラム取得部１１６から出力された信号を解析して、２次元コンステレーションダイアグラムのＱ値を取得する。Ｑ値は、Ｑ＝ｓ／２σによって定義される値である（ただし、ｓは、２次元コンステレーションダイアグラムにおいて隣接するコンステレーションポイント間の距離である。σは、２次元コンステレーションダイアグラムのコンステレーションポイントにおける信号強度のガウス分布の標準偏差である。）。信号品質演算部１１８は、Ｑ値を含む信号を表示部１２０に出力する。表示部１２０は、信号品質演算部１１８から出力されたＱ値を表示する。表示部１２０は、例えば、液晶ディスプレイであってもよい。これにより、検波装置１００のユーザは、検波装置１００が検波したＤＰ−ＰＳＫ信号のＱ値を確認することができる。
【００３１】
Ｑ値は、信号の品質を示す値である。例えば、Ｑ＞６が満たされている場合、信号の符号誤り率は、１０−９以下となる。本実施形態では、信号品質演算部１１８は、Ｑ値から符号誤り率を演算してもよい。この場合、信号品質演算部１１８は、Ｑ値を含む信号とともに符号誤り率を含む信号を表示部１２０に出力してもよい。そして表示部１２０は、Ｑ値とともに符号誤り率を表示してもよい。
【００３２】
本実施形態において得られた２次元コンステレーションダイアグラムは、ＤＰ−ＰＳＫ信号のＸ偏波およびＹ偏波に関するストークスパラメータから得られている。ストークスパラメータは、ＤＰ−ＰＳＫ信号の位相のノイズの影響を受けることなく算出することができる。このため、検波装置１００は、ＤＰ−ＰＳＫ信号のノイズの影響を受けることなく、２次元コンステレーションダイアグラムを取得することができる。また本実施形態では、ストークスパラメータを介してコンステレーションパラメータが算出されているため、シンボルレートおよびサンプリングレートによらず、２次元コンステレーションダイアグラムを取得することができる。特に、ＤＰ−ＰＳＫ信号がＤＰ−ＱＰＳＫ信号であり、当該ＤＰ−ＱＰＳＫ信号が１００Ｇｂｉｔ／ｓｅｃ以上の伝送レートを有している場合であっても、本実施形態の検波装置１００は、当該ＤＰ−ＱＰＳＫ信号を検波することができる。
【００３３】
（実施例１）
本実施形態における信号処理方法について、シミュレーションにより解析した。図４は、ＤＰ―ＱＰＳＫ信号に関するシミュレーション結果を示す。シミュレーションでは、ＤＰ―ＰＳＫ信号は、ＤＰ―ＱＰＳＫ信号とした。光フィルタ１０２から出力される光のＣＮＲは、１５ｄＢと仮定した。サンプルの数は、２１６とした。図４（ａ）から（ｃ）における左側の図は、コンステレーションダイアグラムのシミュレーション結果を示す。一方図４（ａ）から（ｃ）における右側の図は、コンステレーションダイアグラムのｘ方向におけるコンステレーションポイントのヒストグラムを示す。
【００３４】
図４（ａ）は、本実施形態における信号処理方法によって得られたコンステレーションダイアグラムに関するシミュレーション結果を示す。コンステレーションポイントのヒストグラムは、図４（ａ）の右図に示されるように、ほぼガウシアン状に分布している。一方図４（ｂ）は、ＤＰ−ＱＰＳＫのストークスパラメータを算出しないで線形サンプリングにより得られたコンステレーションダイアグラムに関するシミュレーション結果を示す。図４（ａ）と（ｂ）とを比較すると、図４（ｂ）におけるコンステレーションダイアグラムでは、コンステレーションポイントの位相の拡散が顕著に表れている（図４（ｂ）における左図）。これは、ＤＰ−ＱＰＳＫ信号の位相ノイズに基づくものである。また図４（ｂ）におけるコンステレーションダイアグラムのヒストグラムの広がりは、図４（ａ）におけるコンステレーションダイアグラムのヒストグラムの広がりよりも大きい（図４（ａ）および（ｂ）における右図）。このことから、図４（ａ）における信号処理方法によれば、図４（ｂ）における信号処理方法と比較して、ＤＰ−ＱＰＳＫ信号の位相ノイズによって受ける影響を小さくすることができるといえる。
【００３５】
図４（ｃ）は、ＤＰ−ＱＰＳＫのストークスパラメータを算出しないで線形サンプリングにより得られたコンステレーションダイアグラムに関するシミュレーション結果を示す。ただし、図４（ｃ）では、ＤＰ−ＱＰＳＫの位相ノイズの存在しない理想的な条件でコンステレーションダイアグラムが取得されている。図４（ａ）および（ｃ）を比較すると、図４（ａ）におけるコンステレーションダイアグラムの分散は、図４（ｃ）におけるコンステレーションダイアグラムに対して３ｄＢ以上となる。この点、図４（ｃ）は、ＤＰ−ＱＰＳＫの位相ノイズの存在しない理想的な条件における結果であるのに対して、図４（ａ）は、ＤＰ−ＱＰＳＫの位相ノイズが存在している条件における結果である。このため、図４（ａ）における信号処理方法は、ＤＰ−ＱＰＳＫの位相ノイズが存在している条件であっても、理想的な条件におけるコンステレーションダイアグラムに類似した結果を得ることができるといえる。
【００３６】
（実施例２）
本実施形態に係る信号処理方法を実際の光学系を組んで実験した。具体的には、図１に示した光学系を組んだ。より詳細には、ＤＰ−ＰＳＫ信号として、１００Ｇｂｉｔ／ｓｅｃのＤＰ−ＱＰＳＫ信号を用いた。コヒーレント受信器１０６として、Ｏｐｔｉｃａｌ  Ｈｙｂｒｉｄ  Ｄｕａｌ  Ｐｏｌａｒｉｚａｔｉｏｎ（ＤＰ）−２５Ｇｂａｕｄを用いた。ＡＤＣ１１０として、８−ｃｈ  Ａ／Ｄ  ５０ＭＳ／ｓ（Ｍｅｇａ  Ｓａｍｐｌｅｓ  Ｐｅｒ  Ｓｅｃｏｎｄ）を用いた。そしてコヒーレント受信器１０６とＡＤＣ１１０の間には、信号Ｉｘ，Ｑｘ，Ｉｙ，Ｑｙそれぞれに対してＢＰＤ（Ｂａｌａｎｃｅｄ  Ｐｈｏｔｏ  Ｄｉｏｄｅ）を設けた。サンプリングパルス発生器１０８として、５０ＭＨｚのＭＬＦＬ（Ｍｏｄｅ−ｌｏｃｋｅｄ  Ｆｉｂｅｒ  Ｌａｓｅｒ）を用いた。サンプリングパルス発生器１０８は、サンプリング光パルスをコヒーレント受信器に送るだけでなく、ＡＤＣ１１０にクロックを送る。
【００３７】
図５は、本実施例に係る上記した光学系により得られたコンステレーションダイアグラムに関する実験結果である。本図左側は、本実験結果の生データを示している。一方、本図右側は、上記生データの中で所定の値（閾値）以上のデータを抽出したものである。本図に示すように、本実施例では、ＤＰ−ＱＰＳＫ信号に由来する４つのパターンが明瞭に観測された。さらに本実施例でＤＰ−ＱＰＳＫ信号に用いた信号のレートは、１００Ｇｂｉｔ／ｓｅｃである。このように高いレートの信号も、本実施例によれば明瞭に観測することができた。
【００３８】
この出願は、２０１３年５月２４日に出願された日本出願特願２０１３−１１０３６１号を基礎とする優先権、および２０１３年５月２７日に出願された日本出願特願２０１３−１１１２１９号を基礎とする優先権を主張し、その開示の全てをここに取り込む。
【図１】
0005834163.tif 000003
【図２】
0005834163.tif 000004
【図３】
0005834163.tif 000005
【図４】
0005834163.tif 000006
【図５】
0005834163.tif 000007